(57)【特許請求の範囲】
【請求項１】
ドアをシャーシに回動自在に支持し、前記ドアに設けた軸に回動自在に嵌合させたドア駆動ギヤをシャーシに設けたファイナルギヤと噛み合わせて前記ファイナルギヤの回転によりドアを回動させるドア駆動機構において、前記ドア駆動ギヤを前記ドアと前記ドア駆動ギヤとの間に係止させた弾性部材でドアオープン方向に付勢してドアに設けたストッパに圧接させたことを特徴とするドア駆動機構。
【請求項２】
前記ドア駆動ギヤを弾性部材を介して前記ストッパに圧接させた請求項１のドア駆動機構。
【発明の詳細な説明】
【０００１】
【発明の属する技術分野】
この発明はドア駆動機構に係わり、特に、ＣＤラジカセ等のＣＤ装着部のドアに好適なドア駆動機構に関する。
【０００２】
【従来の技術】
従来のＣＤラジカセ等のＣＤ装着部を開閉するドアの駆動機構の例を図４に示す。図に示すドア２にはボス４およびドア駆動ギヤ１２が一体に形成されている。ボス４に形成された軸受４ａおよびドア駆動ギヤ１２に形成された軸受１２ａは夫々シャーシ１に設けられた軸１ａ、１ｂに嵌合し、ドア２はシャーシ１に回動自在に支持されている。
【０００３】
シャーシ１に立設された軸に回転自在に支持されたファイナルギヤ７はシャーシ１に固定された図５に示すモータ１３により回転駆動される。すなわち、ギヤ列８のウォームホィール８ａはウォーム１４と噛み合っており、ウォーム１４はプーリおよびベルトを介してモータ１３により回転駆動される。
【０００４】
従って、ドア２はモータ１３により回動されてＣＤ装着部を開閉する。ドア２にはクッション２ａ、２ａが貼着されており、さらに、スイッチ押部２ｂが設けられている。
【０００５】
ドア２を閉じるとき図５に示すように、スイッチ押部２ｂがシャーシ１に固定されたスイッチ１１を押すと、図６に示すように、タイマーで設定された時間Ｔの後、モータの駆動電圧が０となりモータ１３が停止する。
【０００６】
スイッチ１１でドア２が閉じられたことを検出した後、一定時間後にモータを停止させるのは、スイッチが入るときのドア閉位置に対するスイッチＯＮの公差、その他の部品の寸法のバラツキを吸収するためである。
【０００７】
【発明が解決しようとする課題】
上記した従来のドア駆動機構では、ドア閉検出用スイッチＯＮ後、タイマーで一定時間モータをドア閉方向に回転させてからモータを停止しているが、その間にクッション２ａの撓み、部品の撓みによるドア開方向の弾力が発生し、モータを停止したときにリバウンドが発生して、ドアがきっちりと閉まらないという問題があった。
【０００８】
この発明は上記した点に鑑みてなされたものであって、その目的とするところは、ドアを閉じるときに、リバウンドが発生することなく、定位置にドアを閉じることができるドア駆動機構を提供することにある。
【０００９】
【課題を解決するための手段】
この発明のドア駆動機構は、ドアをシャーシに回動自在に支持し、前記ドアに設けた軸に回動自在に嵌合させたドア駆動ギヤをシャーシに設けたファイナルギヤと噛み合わせて前記ファイナルギヤの回転によりドアを回動させるドア駆動機構において、前記ドア駆動ギヤを前記ドアと前記ドア駆動ギヤとの間に係止させた弾性部材でドアオープン方向に付勢してドアに設けたストッパに圧接させたものである。
【００１０】
また、この発明のドア駆動機構は、前記ドア駆動ギヤを弾性部材を介して前記ストッパに圧接させたものである。
【００１１】
【発明の実施の形態】
この発明の実施例であるＣＤラジカセのドア駆動機構を図面に基づいて説明する。図１はこの発明の実施例であるドア駆動機構を示す斜視図、図２は同ドア駆動機構を示す部分側面図、図３は図２に示す部分の他の状態を示す図である。
【００１２】
図１に示すように、ドア２にはボス３およびボス４が一体に形成されている。ボス３に形成された軸受３ａおよびボス４に形成された軸受４ａは夫々シャーシ１に設けられた軸１ａ、１ｂに嵌合し、ドア２はシャーシ１に回動自在に支持されている。
【００１３】
ボス３に形成された軸３ｄはドア駆動ギヤ５の穴５ａを挿通して、ドア駆動ギヤ５は軸３ｄにねじ込まれたねじ１０により係止される。また、軸３ｄとドア駆動ギヤ５の間に装着される捩じりコイルばね９の線端はボス３の突起３ｃとドア駆動ギヤ５の穴５ｂに係止され、捩じりコイルばね９はドア駆動ギヤ５をドアオープン方向（図２に示すＡ方向）に付勢して、ドア駆動ギヤ５に貼着された弾性部材６がボス３に設けられたストッパ３ｂと圧接状態となつている。
【００１４】
図１に示すように、シャーシ１に立設された軸に回転自在に支持されたファイナルギヤ７は従来例と同様にシャーシ１に固定された図５に示すモータ１３により回転駆動される。すなわち、ギヤ列８のウォームホィール８ａはウォーム１４と噛み合っており、ウォーム１４はプーリおよびベルトを介してモータ１３により回転駆動される。
【００１５】
ドア２には従来例と同様にクッション２ａ、２ａが貼着されており、さらに、スイッチ押部２ｂが設けられている。ドア２を閉じるとき図５に示すように、スイッチ押部２ｂがシャーシ１に固定されたスイッチ１１を押すと、図６に示すように、タイマーで設定された時間Ｔの後、モータの駆動電圧が０となりモータ１３が停止する。
【００１６】
通常、ドア２は図２に示すように弾性部材６がボス３に設けられたストッパ３ｂと圧接状態となった状態でモータ１３により回動されるが、ドアが閉じられて停止するときにスイッチＯＮからタイマーで設定された時間だけさらにモータ１３がドアを閉じる方向に回転して停止するので、ドアが停止した後さらにドア駆動ギヤ５がドア閉方向に回動し、図３に示すようにドア駆動ギヤ５に貼着された弾性部材６がボス３に設けられたストッパ３ｂから離れた状態となる。
【００１７】
このとき捩じりコイルばね９の撓みは通常より大きくなっている。モータ１３の印加電圧が０Ｖとなってもウォームホィール８ａはウォーム１４によりロックされるのでドアのスプリングバックの力によりモータ１３が逆転することはない。
【００１８】
しかしながら、ウォームホィール８ａとウォーム１４との間の僅かのスリップによりドア駆動ギヤ５が逆転しても図３に示す状態から時計方向に僅かに逆転して停止するので、捩じりコイルばね９の撓みが少し小さくなるのみで捩じりコイルばね９の弾力によりドアは完全に閉じられた状態に維持される。
【００１９】
この例ではドア駆動ギヤ５は弾性部材６を介してストッパ３ｂを押すのでドアオープン開始時にドア駆動ギヤ５とボス３とが衝突とし異音を発生させることがない。
【００２０】
実施例ではドア駆動ギヤをドアオープン方向に付勢する弾性部材として捩じりコイルばね９を用いたが、引張りコイルばねやゴムにより付勢することもできる。
【００２１】
【発明の効果】
この発明のドア駆動機構によれば、ドアクローズ完了後、ドア駆動ギヤを弾性部材の弾力に抗して回転させて弾性部材でドアを押さえ付けるので、ドアのリバウンドが生じず、動作品位が向上する。
【図面の簡単な説明】
【図１】この発明の実施例であるドア駆動機構を示す斜視図である。
【図２】同ドア駆動機構の作用を説明するための部分側面図である。
【図３】同ドア駆動機構の作用を説明するための部分側面図である。
【図４】従来のドア駆動機構の例を示す斜視図である。
【図５】同ドア駆動機構の駆動部を示す概略構成図である。
【図６】同ドア駆動機構の動作を示すタイムチャートである。
【符号の説明】
１  シャーシ、１ａ、１ｂ  軸
２  ドア、２ａ  クッション、２ｂ  スイッチ押部
３  ボス、３ａ  軸受、３ｂ  ストッパ、３ｃ  突起、３ｄ  軸
４  ボス、４ａ  軸受
５  ドア駆動ギヤ、５ａ、穴、５ｂ  穴
６  弾性部材
７  ファイナルギヤ
８  ギヤ列、８ａ  ウォームホイール
９  捩じりコイルばね
１０  ねじ
１１  スイッチ
１２  ドア駆動ギヤ、１２ａ  軸受
１３  モータ
１４  ウォーム
【図１】
0003607140.tif 000002
【図２】
0003607140.tif 000003
【図３】
0003607140.tif 000004
【図４】
0003607140.tif 000005
【図５】
0003607140.tif 000006
【図６】
0003607140.tif 000007